(57)【特許請求の範囲】
【請求項１】
上方に開口する点検口と、側部に形成され排水が流入する流入口と、側部に形成され排水が流出する第１流出口と、側部に形成され排水が流出する第２流出口と、を有する有底筒状のます本体と、
前記ます本体内に設けられ、前記流入口から流入した排水を前記第１流出口に導く第１切替位置と前記第１切替位置よりも上方の位置であって前記流入口から流入した排水を前記第２流出口に導く第２切替位置との間で位置変更が可能である流路切替部材と、
前記流路切替部材を下方より保持することにより当該流路切替部材の位置を前記第２切替位置にする位置保持部材と、を備え、
前記流路切替部材は、前記第１切替位置において前記流入口の少なくとも一部と前記第１流出口の少なくとも一部とを繋ぐ第１インバート体と、前記第１インバート体の下方に設けられ、前記第２切替位置において前記流入口の少なくとも一部と前記第２流出口の少なくとも一部とを繋ぐ第２インバート体と、を有している、排水ます。
【請求項２】
前記第２流出口の上端は前記第１流出口の上端の高さ以下の位置に配置されかつ前記第２流出口の下端は前記第１流出口の下端の高さ以上の位置に配置され、または、前記第１流出口の上端は前記第２流出口の上端の高さ未満の位置に配置されかつ前記第１流出口の下端は前記第２流出口の下端の高さよりも上方の位置に配置された、請求項１に記載の排水ます。
【請求項３】
前記流路切替部材は、有底筒状の第１筒状部材と、前記第１筒状部材の下端に設けられた有底筒状の第２筒状部材とを有し、
前記第１筒状部材は、上方が開口され、前記流路切替部材が前記第１切替位置に配置されたときに、前記流入口に対向する第１孔部と前記第１流出口に対向する第２孔部とを有し、
前記第２筒状部材は、上方が開口され、前記流路切替部材が前記第２切替位置に配置されたときに、前記流入口に対向する第３孔部と前記第２流出口に対向する第４孔部とを有し、
前記第１インバート体は、前記第１筒状部材の底部を形成し、前記第１孔部から前記第２孔部に向かって形成され、
前記第２インバート体は、前記第２筒状部材の底部を形成し、前記第３孔部から前記第４孔部に向かって形成された、請求項１または２に記載の排水ます。
【請求項４】
前記第１流出口は前記流入口に対向して設けられ、前記第２流出口は前記流入口に対して垂直に設けられ、
前記第１インバート体は半円筒状かつ平面視で直線状に形成され、前記第２インバート体は平面視で円弧状に形成され、
前記第１筒状部材は、第１側部、前記第１側部に対向する第２側部、前記第１側部に対して垂直な第３側部、および前記第３側部に対向する第４側部を有しかつ角筒形状に形成されており、
前記第２筒状部材は、第５側部、前記第５側部に対向する第６側部、前記第５側部に対して垂直な第７側部、および前記第７側部に対向する第８側部を有しかつ角筒形状に形成されており、
前記第１孔部は前記第１筒状部材の前記第１側部に設けられ、前記第２孔部は前記第１筒状部材の前記第２側部に設けられ、
前記第３孔部は前記第２筒状部材の前記第５側部に設けられ、前記第４孔部は前記第２筒状部材の前記第７側部に設けられた、請求項３に記載の排水ます。
【請求項５】
前記第１筒状部材の前記第１側部と前記第２筒状部材の前記第５側部とは面一に設けられ、前記第１筒状部材の前記第２側部と前記第２筒状部材の前記第７側部とは平面視で直交するように設けられている、請求項４に記載の排水ます。
【請求項６】
前記ます本体は、円筒形状に形成され、
前記ます本体の内周壁と前記流路切替部材との間に設けられた第１〜第４スペーサをさらに備え、
前記第１スペーサは、前記流入口に挿通され前記ます本体の内方に通ずる第１管状部と、前記流路切替部材の前記第１側部または前記第５側部に接触する第１垂直部と、前記ます本体の内周壁に接触する第１湾曲部とを有し、
前記第２スペーサは、前記第１流出口に挿通され前記ます本体の内方に通ずる第２管状部と、前記流路切替部材の前記第２側部または前記第６側部に接触する第２垂直部と、前記ます本体の内周壁に接触する第２湾曲部とを有し、
前記第３スペーサは、前記第２流出口に挿通され前記ます本体の内方に通ずる第３管状部と、前記流路切替部材の前記第３側部または前記第７側部に接触する第３垂直部と、前記ます本体の内周壁に接触する第３湾曲部とを有し、
前記第４スペーサは、前記流路切替部材の前記第４側部または前記第８側部に接触する第４垂直部と、前記第３スペーサに対向する前記ます本体の内周壁に接触する第４湾曲部とを有している、請求項４または５に記載の排水ます。
【請求項７】
前記第１スペーサは、前記第１垂直部の上端に設けられ、上方に向かうにつれ前記ます本体の外方に傾斜した第１傾斜部をさらに備え、
前記第２スペーサは、前記第２垂直部の上端に設けられ、上方に向かうにつれ前記ます本体の外方に傾斜した第２傾斜部をさらに備え、
前記第３スペーサは、前記第３垂直部の上端に設けられ、上方に向かうにつれ前記ます本体の外方に傾斜した第３傾斜部をさらに備え、
前記第４スペーサは、前記第４垂直部の上端に設けられ、上方に向かうにつれ前記ます本体の外方に傾斜した第４傾斜部をさらに備え、
前記第１傾斜部は前記ます本体の内周壁に接触する部分が湾曲して形成され、
前記第２傾斜部は前記ます本体の内周壁に接触する部分が湾曲して形成され、
前記第３傾斜部は前記ます本体の内周壁に接触する部分が湾曲して形成され、
前記第４傾斜部は前記ます本体の内周壁に接触する部分が湾曲して形成された、請求項６に記載の排水ます。
【請求項８】
前記流路切替部材は、有底円筒状に形成され、前記流路切替部材が前記第１切替位置に配置されたときに前記流入口に対向する第５孔部および前記第１流出口に対向する第６孔部を有すると共に、前記流路切替部材が前記第２切替位置に配置されたときに前記流入口に対向する第７孔部および前記第２流出口に対向する第８孔部を有し、
前記第１インバート体は前記第５孔部から前記第６孔部に向かって半円筒状かつ平面視で直線状に形成され、前記第２インバート体は前記第７孔部から前記第８孔部に向かって平面視で円弧状に形成された、請求項１または２に記載の排水ます。
【請求項９】
前記ます本体は、円筒形状に形成され、
前記ます本体の内周壁と前記流路切替部材との間に設けられ、平面視で円を描くように配置された第５〜第８スペーサをさらに備え、
前記第５スペーサは、前記流入口に挿通され前記ます本体の内方に通ずる第５管状部と、前記流路切替部材の外周壁に接触する第５円弧部とを有し、
前記第６スペーサは、前記第１流出口に挿通され前記ます本体の内方に通ずる第６管状部と、前記流路切替部材の外周壁に接触する第６円弧部とを有し、
前記第７スペーサは、前記第２流出口に挿通され前記ます本体の内方に通ずる第７管状部と、前記流路切替部材の外周壁に接触する第７円弧部とを有し、
前記第８スペーサは、前記流路切替部材の外周壁に接触するよう円弧状に形成されている、請求項８に記載の排水ます。
【請求項１０】
請求項１〜９のいずれか１項に記載の排水ますと、
上流端が排水設備に接続され、下流端が前記流入口に接続された流入管路と、
上流端が前記第１流出口に接続された第１流出管路と、
上流端が前記第２流出口に接続された第２流出管路と、
前記第２流出管路の下流端に接続された貯留槽と、を備えた、排水システム。
【発明の詳細な説明】
【技術分野】
【０００１】
本発明は、排水の流路切替機能を有する排水ますおよびそれを備えた排水システムに関する。
【背景技術】
【０００２】
従来から、排水設備から下水本管に排水を排出する排水システムが知られている。排水設備としては、例えば、トレイ、風呂、または台所の流し台等が挙げられる。この種の排水システムは、排水設備と下水本管とを繋ぐ流出管路を備えている。排水設備から流出する排水は、流出管路を通じて下水本管へ排出される。
【０００３】
例えば、特許文献１には、排水の流路切替機能を有する排水ますが開示されている。この排水ますは、排水が流入する流入口と、排水が流出する第１流出口と、排水が流出する第２流出口とを備えている。第１流出口は、流入口に対向する位置に設けられている。また、第２流出口の上端は、流入口の上端および第１流出口の上端よりも下方に配置されている。流入口と第１流出口と第２流出口とは、同じ大きさで開口されている。流入口と第１流出口とは、同じ高さの位置に設けられている。このような排水ますにおいて、インバート体がガイド溝に沿って上下にスライドすることで、当該インバート体が、流入口と第１流出口とを繋ぐ第１切替位置と、流入口と第２流出口とを繋ぐ第２切替位置との間で位置変更が可能となっている。
【先行技術文献】
【特許文献】
【０００４】
【特許文献１】特開２０１５−１４５５８３号公報
【発明の概要】
【発明が解決しようとする課題】
【０００５】
しかしながら、特許文献１に記載された排水ますでは、長期の使用によって、ガイド溝に異物が付着し易くなり、当該異物によってインバート体の位置の切り替えができない場合があった。また、上記従来の排水ますでは、インバート体を上下動させるためのガイド溝や当該ガイド溝に沿ってインバート体を上下動可能に支持する保持板等の部材を設ける必要があるため、排水ます内の構造が複雑化していた。そのため、排水の流路の切り替えを簡単な構造で行うことができる排水ますの開発が望まれていた。
【０００６】
本発明はかかる点に鑑みてなされたものであり、その目的は、排水流路の切り替えの信頼性を長期にわたって維持することができ、簡単な構造で排水流路の切り替えを行うことができる排水ますおよびそれを備えた排水システムを提供することである。
【課題を解決するための手段】
【０００７】
本発明に係る排水ますは、上方に開口する点検口と、側部に形成され排水が流入する流入口と、側部に形成され排水が流出する第１流出口と、側部に形成され排水が流出する第２流出口と、を有する有底筒状のます本体と、前記ます本体内に設けられ、前記流入口から流入した排水を前記第１流出口に導く第１切替位置と前記第１切替位置よりも上方の位置であって前記流入口から流入した排水を前記第２流出口に導く第２切替位置との間で位置変更が可能である流路切替部材と、前記流路切替部材を下方より保持することにより当該流路切替部材の位置を前記第２切替位置にする位置保持部材と、を備え、前記流路切替部材は、前記第１切替位置において前記流入口の少なくとも一部と前記第１流出口の少なくとも一部とを繋ぐ第１インバート体と、前記第１インバート体の下方に設けられ、前記第２切替位置において前記流入口の少なくとも一部と前記第２流出口の少なくとも一部とを繋ぐ第２インバート体とを有している。
【０００８】
本発明に係る排水ますによれば、流路切替部材を第１切替位置に配置した場合、流入口からます本体内に流入する排水を第１インバート体により第１流出口に導くことができる。一方、流路切替部材を第２切替位置に配置した場合には、流入口からます本体内に流入する排水を第２インバート体により第２流出口に導くことができる。本発明の排水ますにおいては、流路切替部材を位置保持部材により保持するだけで、当該流路切替部材を第２切替位置に配置することができる。これによって、ます本体内の構造が複雑化することなく、簡単な構造で排水流路の切り替えを行うことができる。また、従来のようにます本体内にガイド溝や当該ガイド溝に沿ってインバート体を上下動可能に支持する保持板等の部材を設けることがないので、ガイド溝に異物が付着することがない。これにより、異物によって排水流路の切り替えが行えないような事態の発生を抑制することができる。したがって、排水流路の切り替えの信頼性を長期にわたって維持することができる。
【０００９】
本発明の好ましい一態様によれば、前記第２流出口の上端は前記第１流出口の上端の高さ以下の位置に配置されかつ前記第２流出口の下端は前記第１流出口の下端の高さ以上の位置に配置され、または、前記第１流出口の上端は前記第２流出口の上端の高さ未満の位置に配置されかつ前記第１流出口の下端は前記第２流出口の下端の高さよりも上方の位置に配置されている。
【００１０】
上記態様によれば、ます本体の高さを従来よりも低くすることができる。したがって、排水ますの埋設深度、および排水ますに接続される貯留槽や当該排水ますと貯留槽とを連結する流出管路のそれぞれの埋設深度を浅くすることができる。これにより、埋設深度が深くなることに起因して各部材を埋設できないような事態を回避することができると共に、埋設時の掘削量を抑えてコストアップを抑制することができる。
【００１１】
本発明の好ましい他の一態様によれば、前記流路切替部材は、有底筒状の第１筒状部材と、前記第１筒状部材の下端に設けられた有底筒状の第２筒状部材とを有し、前記第１筒状部材は、上方が開口され、前記流路切替部材が前記第１切替位置に配置されたときに、前記流入口に対向する第１孔部と前記第１流出口に対向する第２孔部とを有し、前記第２筒状部材は、上方が開口され、前記流路切替部材が前記第２切替位置に配置されたときに、前記流入口に対向する第３孔部と前記第２流出口に対向する第４孔部とを有し、前記第１インバート体は、前記第１筒状部材の底部を形成し、前記第１孔部から前記第２孔部に向かって形成され、前記第２インバート体は、前記第２筒状部材の底部を形成し、前記第３孔部から前記第４孔部に向かって形成されている。
【００１２】
上記態様によれば、第１筒状部材の上方が開口されているので、ます本体の点検口および第１筒状部材の前記開口を介して第１インバート体を目視にて点検することができる。また、第１切替位置において、流入口からの排水を第１筒状部材の第１孔部、第１インバート体および第２孔部を介して第１流出口に導くことができる。第２切替位置において、流入口からの排水を第２筒状部材の第３孔部、第２インバート体および第４孔部を介して第２流出口に導くことができる。
【００１３】
本発明の好ましい他の一態様によれば、前記第１流出口は前記流入口に対向して設けられ、前記第２流出口は前記流入口に対して垂直に設けられ、前記第１インバート体は半円筒状かつ平面視で直線状に形成され、前記第２インバート体は平面視で円弧状に形成され、前記第１筒状部材は、第１側部、前記第１側部に対向する第２側部、前記第１側部に対して垂直な第３側部、および前記第３側部に対向する第４側部を有しかつ角筒形状に形成されており、前記第２筒状部材は、第５側部、前記第５側部に対向する第６側部、前記第５側部に対して垂直な第７側部、および前記第７側部に対向する第８側部を有しかつ角筒形状に形成されており、前記第１孔部は前記第１筒状部材の前記第１側部に設けられ、前記第２孔部は前記第１筒状部材の前記第２側部に設けられ、前記第３孔部は前記第２筒状部材の前記第５側部に設けられ、前記第４孔部は前記第２筒状部材の前記第７側部に設けられている。
【００１４】
上記態様によれば、第１筒状部材および第２筒状部材をそれぞれ角筒形状に形成することにより、第１孔部、第２孔部、第３孔部および第４孔部を設ける箇所をそれぞれ角筒の側壁とすることができる。これにより、上記各孔部を例えば円筒形状の第１筒状部材に加工する場合よりも加工し易くなる。また、第１インバート体が半円筒状かつ直線状に形成されていることにより、流入口からます本体内に流入する排水を第１流出口に円滑に流すことができる。さらに、第２インバート体が円弧状に形成されていることによって、第２流出口が流入口に対して垂直に設けられた構成でも、当該第２インバート体に対して流水による大きな負荷を掛けることなく排水を流すことができる。
【００１５】
本発明の好ましい他の一態様によれば、前記第１筒状部材の前記第１側部と前記第２筒状部材の前記第５側部とは面一に設けられ、前記第１筒状部材の前記第２側部と前記第２筒状部材の前記第７側部とは平面視で直交するように設けられている。
【００１６】
上記態様によれば、第１側部と第５側部とが面一に設けられているので、位置保持部材によって流路切替部材を第２切替位置に配置した場合に、第５側部の第３孔部を流入口に対向する位置に配置することができる。また、第２側部と第７側部とが平面視で直交しているので、位置保持部材によって流路切替部材を第２切替位置に配置した場合に、第７側部の第４孔部を第２流出口に対向する位置に配置することができる。このように第１側部と第５側部との位置関係および第２側部と第７側部との位置関係を設定することによって、第１流出口が流入口に対向して設けられ、第２流出口が流入口に垂直に設けられ、高さが従来よりも低い上述のます本体に対応することができる。したがって、上記構成を有する流路切替部材を用いることで、排水ますの埋設深度を浅くすることができる。
【００１７】
本発明の好ましい他の一態様によれば、前記ます本体は、円筒形状に形成され、前記ます本体の内周壁と前記流路切替部材との間に設けられた第１〜第４スペーサをさらに備え、前記第１スペーサは、前記流入口に挿通され前記ます本体の内方に通ずる第１管状部と、前記流路切替部材の前記第１側部または前記第５側部に接触する第１垂直部と、前記ます本体の内周壁に接触する第１湾曲部とを有し、前記第２スペーサは、前記第１流出口に挿通され前記ます本体の内方に通ずる第２管状部と、前記流路切替部材の前記第２側部または前記第６側部に接触する第２垂直部と、前記ます本体の内周壁に接触する第２湾曲部とを有し、前記第３スペーサは、前記第２流出口に挿通され前記ます本体の内方に通ずる第３管状部と、前記流路切替部材の前記第３側部または前記第７側部に接触する第３垂直部と、前記ます本体の内周壁に接触する第３湾曲部とを有し、前記第４スペーサは、前記流路切替部材の前記第４側部または前記第８側部に接触する第４垂直部と、前記第３スペーサに対向する前記ます本体の内周壁に接触する第４湾曲部とを有している。
【００１８】
上記態様によれば、流路切替部材の第１筒状部材および第２筒状部材をそれぞれ角筒形状に形成した場合に、円筒形状のます本体の内周壁と上記各筒状部材との間にスペーサを配置することによって、ます本体に対する流路切替部材の位置決めを適切に行うことができる。また、ます本体の内周壁と各筒状部材（つまり流路切替部材）との間がスペーサにより埋められるので、隙間が生じ難い。これにより、排水の浸入を抑制または防止することができる。
【００１９】
本発明の好ましい他の一態様によれば、前記第１スペーサは、前記第１垂直部の上端に設けられ、上方に向かうにつれ前記ます本体の外方に傾斜した第１傾斜部をさらに備え、前記第２スペーサは、前記第２垂直部の上端に設けられ、上方に向かうにつれ前記ます本体の外方に傾斜した第２傾斜部をさらに備え、前記第３スペーサは、前記第３垂直部の上端に設けられ、上方に向かうにつれ前記ます本体の外方に傾斜した第３傾斜部をさらに備え、前記第４スペーサは、前記第４垂直部の上端に設けられ、上方に向かうにつれ前記ます本体の外方に傾斜した第４傾斜部をさらに備え、前記第１傾斜部は前記ます本体の内周壁に接触する部分が湾曲して形成され、前記第２傾斜部は前記ます本体の内周壁に接触する部分が湾曲して形成され、前記第３傾斜部は前記ます本体の内周壁に接触する部分が湾曲して形成され、前記第４傾斜部は前記ます本体の内周壁に接触する部分が湾曲して形成されている。
【００２０】
上記態様によれば、各スペーサが垂直部の上端に傾斜部を備えていることにより、上方からの汚水が傾斜部を伝って下方に流れ易くなる。
【００２１】
本発明の好ましい他の一態様によれば、前記流路切替部材は、有底円筒状に形成され、前記流路切替部材が前記第１切替位置に配置されたときに前記流入口に対向する第５孔部および前記第１流出口に対向する第６孔部を有すると共に、前記流路切替部材が前記第２切替位置に配置されたときに前記流入口に対向する第７孔部および前記第２流出口に対向する第８孔部を有し、前記第１インバート体は前記第５孔部から前記第６孔部に向かって半円筒状かつ平面視で直線状に形成され、前記第２インバート体は前記第７孔部から前記第８孔部に向かって平面視で円弧状に形成されている。
【００２２】
上記態様によれば、流路切替部材を円筒状に形成することにより、ます本体内に配置する際に万一流路切替部材の外周壁が周辺部材に接触した場合に、角筒形状の流路切替部材よりも損傷を受け難い。また、第１インバート体が半円筒状かつ直線状に形成されていることにより、流入口からます本体内に流入する排水を第１流出口に円滑に流すことができる。さらに、第２インバート体が円弧状に形成されていることによって、第２流出口が流入口に対して垂直に設けられた構成でも、当該第２インバート体に対して流水による大きな負荷を掛けることなく排水を流すことができる。
【００２３】
本発明の好ましい他の一態様によれば、前記ます本体は、円筒形状に形成され、前記ます本体の内周壁と前記流路切替部材との間に設けられ、平面視で円を描くように配置された第５〜第８スペーサをさらに備え、前記第５スペーサは、前記流入口に挿通され前記ます本体の内方に通ずる第５管状部と、前記流路切替部材の外周壁に接触する第５円弧部とを有し、前記第６スペーサは、前記第１流出口に挿通され前記ます本体の内方に通ずる第６管状部と、前記流路切替部材の外周壁に接触する第６円弧部とを有し、前記第７スペーサは、前記第２流出口に挿通され前記ます本体の内方に通ずる第７管状部と、前記流路切替部材の外周壁に接触する第７円弧部とを有し、前記第８スペーサは、前記流路切替部材の外周壁に接触するよう円弧状に形成されている。
【００２４】
上記態様によれば、ます本体の内周壁と流路切替部材との間にスペーサを配置することによって、ます本体に対する流路切替部材の位置決めを適切に行うことができる。また、ます本体の内周壁と流路切替部材との間がスペーサにより埋められるので、隙間が生じ難い。これにより、排水の浸入を抑制または防止することができる。
【００２５】
本発明に係る排水システムは、上述したいずれか一つの排水ますと、上流端が排水設備に接続され、下流端が前記流入口に接続された流入管路と、上流端が前記第１流出口に接続された第１流出管路と、上流端が前記第２流出口に接続された第２流出管路と、前記第２流出管路の下流端に接続された貯留槽と、を備えている。
【００２６】
本発明に係る排水システムによれば、上記の構成を有する排水ますを備えているので、排水流路の切り替えの信頼性を長期にわたって維持することができ、簡単な構造で排水流路の切り替えを行うことができる。
【発明の効果】
【００２７】
本発明によれば、排水流路の切り替えの信頼性を長期にわたって維持することが可能で、簡単な構造で排水流路の切り替えを行うことが可能な排水ますおよびそれを備えた排水システムを提供することができる。
【図面の簡単な説明】
【００２８】
【図１】本発明の一実施形態に係る排水ますの斜視図である。
【図２】本発明の一実施形態に係るます本体およびスペーサの分解斜視図である。
【図３】本発明の一実施形態に係るます本体の正面図である。
【図４】本発明の一実施形態に係る４つのスペーサの斜視図である。
【図５】本発明の一実施形態に係る流路切替部材をます本体内に配置する前の状態を示す斜視図である。
【図６】本発明の一実施形態に係る継手部材をます本体に配置する前の状態を示す斜視図である。
【図７】本発明の一実施形態に係る流路切替部材の斜視図である。
【図８】本発明の一実施形態に係る流路切替部材の第１筒状部材と第２筒状部材との分解斜視図である。
【図９】本発明の一実施形態に係るスペーサの側面図である。
【図１０】（ａ）は本発明の一実施形態に係る流路切替部材が第１切替位置にある状態を示す説明図であり、（ｂ）は（ａ）の流路切替部材が第２切替位置にある状態を示す説明図である。
【図１１】本発明の一実施形態に係る流路切替部材が第２切替位置に配置された状態を示す斜視図である。
【図１２】（ａ）は本発明の一実施形態に係る流路切替部材が第１切替位置にある状態の他例を示す説明図であり、（ｂ）は（ａ）の流路切替部材が第２切替位置にある状態の他例を示す説明図である。
【図１３】本発明の一実施形態に係る排水システムの平面図である。
【図１４】本発明の他の実施形態に係る流路切替部材の斜視図である。
【図１５】本発明の他の実施形態に係るスペーサの斜視図である。
【図１６】本発明の他の実施形態に係る４つのスペーサの平面図である。
【発明を実施するための形態】
【００２９】
以下、図面を参照しながら、本発明の一実施形態に係る排水ますおよびそれを備えた排水システムについて説明する。ここで説明される実施形態は、当然ながら本発明を限定することを意図したものではなく、本発明の技術的範囲内で種々の実施形態を採用することができる。
【００３０】
本実施形態の排水ます１は、排水の流路の切り替えが可能なますである。ここで、「排水」には、汚水および雨水が含まれる。「汚水」とは、トイレ、風呂、および台所の流し台等から排出される水であり、そのままでは河川に放流させることができないものである。本実施形態では、トイレ、風呂、および台所の流し台等の排水設備から、排水ます１に向かって汚水が排出されるものとする。また、「雨水」とは、降雨などの自然現象に起因する水であり、そのまま河川に放流させることができるものである。
【００３１】
図１に示すように、本実施形態の排水ます１は、ます本体２と、流路切替部材３と、位置保持部材４（図１０（ｂ）参照）と、第１〜第４スペーサ５〜８（図２参照）と、第１〜第３継手部材９〜１１とを備えている。流路切替部材３は、ます本体２内に配置されている。位置保持部材４は、後で詳述する第２切替位置Ｐ２（図１０（ｂ）および図１１参照）に流路切替部材３を配置する際にます本体２内に設けられるものである。図１は流路切替部材３が第１切替位置Ｐ１にある状態を示しているため、図１では位置保持部材４はます本体２内に配置されていない。
【００３２】
ます本体２は、円筒形状に形成されている。ます本体２は、有底筒状に形成され、内部に空間を有するものである。ます本体２は、底部２ａ（図２参照）と、当該底部２ａに連結された円筒部２ｂとを備えている。ます本体２１の上端には、上方に開口する点検口２１が設けられている。なお、点検口２１は、通常時には図示しない蓋により閉じられた状態となっている。
【００３３】
図２に示すように、ます本体２１の円筒部２ｂには、当該円筒部２ｂの厚み方向に貫通して形成された流入口２２、第１流出口２３および第２流出口２４が設けられている。第１流出口２３は、流入口２２に対向して設けられている。本実施形態では、第１流出口２３の管軸は、流入口２２の管軸と一致している。第１流出口２３の直径は、流入口２２の直径と等しい。図３に示すように、第１流出口２３の上端２３ａは、流入口２２の上端２２ａと同じ高さの位置にある。また、第１流出口２３の下端２３ｂは、流入口２２の下端２２ｂと同じ高さの位置にある。
【００３４】
図２に示すように、第２流出口２４は、流入口２２に対して垂直に設けられている。したがって、第２流出口２４は、第１流出口２３に対しても垂直に設けられていることとなる。本実施形態では、第２流出口２４の管軸の高さ位置は、流入口２２の管軸の高さ位置と同じである。第２流出口２４の直径は、流入口２２の直径と等しい。図３に示すように、第２流出口２４の上端２４ａは、流入口２２の上端２２ａと同じ高さの位置にある。また、第２流出口２４の下端２４ｂは、流入口２２の下端２２ｂと同じ高さの位置にある。したがって、第２流出口２４の上端２４ａは、第１流出口２３の上端２３ａと同じ高さの位置にあり、第２流出口２４の下端２４ｂは、第１流出口２３の下端２３ｂと同じ高さの位置にある。
【００３５】
点検口２１は、作業者がます本体２の内部に破損または詰まり等がないかの確認およびメンテナンスを行う部位である。図２に示すように、点検口２１は、流入口２２、第１流出口２３および第２流出口２４よりも大きく開口している。そのため、作業者は、点検口２１を通じて、ます本体２内部の確認およびメンテナンスを容易に行うことができる。なお、図示は省略するが、ます本体２の上端には、例えば塩化ビニルで形成され、上端および下端が開口された立管が接続されている。この立管の上端に蓋が設けられている。通常時には、立管の上端の開口は前記蓋によって閉じられている。
【００３６】
図１の流路切替部材３をます本体２内に配置する前に、ます本体２に図２の第１〜第４スペーサ５〜８を設置する。第１〜第４スペーサ５〜８は、それぞれます本体２の内周壁と流路切替部材３との間に配置されるものである。第１スペーサ５の構成と、第２スペーサ６の構成と、第３スペーサ７の構成とはそれぞれ同じである。第１〜第３スペーサ５〜７の構成と、第４スペーサ８の構成とは異なっている。したがって、以下では、第１スペーサ５および第４スペーサ８の各構成について説明することにする。図４は、図２の視点と異なる視点から見た第１〜第４スペーサ５〜８の斜視図である。
【００３７】
図４に示すように、第１スペーサ５は、第１管状部５ａ、第１垂直部５ｂ、第１湾曲部５ｃおよび第１傾斜部５ｄを備えている。同様に、第２スペーサ６は、第２管状部６ａ、第２垂直部６ｂ、第２湾曲部６ｃ（図２参照）および第２傾斜部６ｄを備えている。第３スペーサ７は、第３管状部７ａ、第３垂直部７ｂ、第３湾曲部７ｃ（図２参照）および第３傾斜部７ｄを備えている。一方、第４スペーサ８は、第４垂直部８ｂ、第４湾曲部８ｃおよび第４傾斜部８ｄを備えている。なお、第２管状部６ａおよび第３管状部７ａの構成と機能は、それぞれ第１管状部５ａと同じである。第２垂直部６ｂ、第３垂直部７ｂおよび第４垂直部８ｂの構成と機能は、それぞれ第１垂直部５ｂと同じである。第２湾曲部６ｃ、第３湾曲部７ｃおよび第４湾曲部８ｃの構成と機能は、それぞれ第１湾曲部５ｃと同じである。第２傾斜部６ｄ、第３傾斜部７ｄおよび第４傾斜部８ｄの構成と機能は、それぞれ第１傾斜部５ｄと同じである。
【００３８】
図４に示すように、第１管状部５ａは円筒状に形成されている。第１管状部５ａは、当該第１管状部５ａの管軸が第１垂直部５ｂに対して垂直となるよう第１垂直部５ｂに設けられている。第１管状部５ａの孔部は第１垂直部５ｂを貫通して形成されている。図９に示すように、第１管状部５ａの外周壁には、当該第１管状部５ａよりも大径な、すなわち第１管状部５ａの外周面から径方向の外方に突出した管状凸部５ｅが設けられている。この管状凸部５ｅの外方端（図９においては右端）５ｅ１は、第１スペーサ５の第１管状部５ａが流入口２２（図２参照）に挿通された状態のときに、ます本体２（図２参照）の内周面に接触するようになっている。同じ様に、図４において第２管状部６ａに管状凸部６ｅが設けられ、第３管状部７ａに管状凸部７ｅが設けられている。一方、第４スペーサ８においては、ます本体２の流入口や流出口に挿通させる第１〜第３管状部５ａ，６ａ，７ａに相当する管状部が設けられていない。そのため、第４スペーサ８には、上記の管状凸部５ｅ，６ｅ，７ｅと同じ機能を有する管状部８ｅが設けられている。図２に示すように、第１スペーサ５の第１管状部５ａは、ます本体２の流入口２２に挿通される。この場合、第１スペーサ５をます本体２の点検口２１に挿入した後、第１管状部５ａをます本体２の内側から外側に向かって流入口２２に挿通すればよい。第２スペーサ６の第２管状部６ａは、ます本体２の第１流出口２３に挿通される。この場合、第２スペーサ６をます本体２の点検口２１に挿入した後、第２管状部６ａをます本体２の内側から外側に向かって第１流出口２３に挿通すればよい。第３スペーサ７の第３管状部７ａは、ます本体２の第２流出口２４に挿通される。この場合、第３スペーサ７をます本体２の点検口２１に挿入した後、第３管状部７ａをます本体２の内側から外側に向かって第２流出口２４に挿通すればよい。第４スペーサ８は、第３スペーサ７に対してます本体２の管軸を挟んで対向する当該ます本体２の内周壁の所定位置に配置される。
【００３９】
図４に示すように、第１スペーサ５の第１垂直部５ｂは、ます本体２（図２参照）の管軸に平行に配置される。この第１垂直部５ｂの下端に第１湾曲部５ｃが設けられている。また、第１垂直部５ｂの上端に第１傾斜部５ｄが設けられている。第１湾曲部５ｃは円弧状に形成されている。第１傾斜部５ｄは円弧状に形成されている。また、図９に示すように、第１スペーサ５の側面視において第１湾曲部５ｃは先下がりに傾斜して設けられている。つまり、第１湾曲部５ｃは、下方に向かうにつれます本体２の外方に傾斜して設けられている。第１スペーサ５の側面視において第１傾斜部５ｄは先上がりに傾斜して設けられている。つまり、第１傾斜部５ｄは、上方に向かうにつれます本体２の外方に傾斜して設けられている。第１湾曲部５ｃは、第１スペーサ５の第１管状部５ａが流入口２２（図２参照）に挿通された状態のときに、ます本体２の内周面に接触するようになっている。また、第１傾斜部５ｄは、第１管状部５ａが流入口２２に挿通された状態のときに、ます本体２の内周面に接触するようになっている。
【００４０】
第１〜第４スペーサ５〜８をそれぞれます本体２（図２参照）内に配置すると、図４に示すように、第１垂直部５ｂと第２垂直部６ｂと第３垂直部７ｂと第４垂直部８ｂとによって、上下方向に貫通した挿入孔３０が形成される。上述したように、第１〜第４傾斜部５ｄ，６ｄ，７ｄ，８ｄが傾斜しているため、上方からの汚水がこれらの傾斜部を伝って下方に流れ易くなっている。
【００４１】
次に、流路切替部材３は、ます本体２内に配置される。詳細には、流路切替部材３は、図５に示すように、上述の挿入孔３０に挿入されます本体２内に配置される。以下、流路切替部材３の構成の詳細について説明する。流路切替部材３は、ます本体２内の第１切替位置Ｐ１（図１０（ａ）参照）と当該第１切替位置Ｐ１よりも上方の位置である第２切替位置Ｐ２（図１０（ｂ）および図１１参照）との間で位置変更が可能に設けられているものである。流路切替部材３は、第１切替位置Ｐ１に配置されたときには、流入口２２（図２参照）から流入した排水を第１流出口２３（図２参照）に導く。一方、流路切替部材３は、第２切替位置Ｐ２に配置されたときには、流入口２２から流入した排水を第２流出口２４（図２参照）に導く。流路切替部材３は、有底筒状の第１筒状部材３１と、有底筒状の第２筒状部材３２とを備えている。第１筒状部材３１の上端は開口されている。第２筒状部材３２の上端は開口されている。ただし、第２筒状部材３２の上端については、閉じられていてもよい。第２筒状部材３２は、第１筒状部材３１の下端に接合されて設けられている。第２筒状部材３２の外形の大きさは、第１筒状部材３１の外形の大きさと同じである。第１筒状部材３１および第２筒状部材３２は、それぞれ例えば角筒形状に形成されている。具体的には、第１筒状部材３１は、第１側部３１ａと、当該第１側部３１ａに対向する第２側部３１ｂと、第１側部３１ａに対して垂直な第３側部３１ｃと、第３側部３１ｃに対向する第４側部３１ｄとを備えている。同じ様に、第２筒状部材３２は、第５側部３２ａ（図７参照）と、当該第５側部３２ａに対向する第６側部３２ｂと、第５側部３２ａに対して垂直な第７側部３２ｃと、第７側部３２ｃに対向する第８側部３２ｄ（図８参照）とを備えている。図８に示すように、第１筒状部材３１に対して第２筒状部材３２を接合する際には、例えば、第１筒状部材３１の第１側部３１ａと第２筒状部材３２の第５側部３２ａとを面一に合わせ、第１筒状部材３１の第３側部３１ｃと第２筒状部材３２の第７側部３２ｃとを面一に合わせる。それによって、第１筒状部材３１の第２側部３１ｂと第２筒状部材３２の第６側部３２ｂとが面一に合わさり、第１筒状部材３１の第４側部３１ｄと第２筒状部材３２の第８側部３２ｄとが面一に合わさる。
【００４２】
図５に示すように、第１筒状部材３１の第１側部３１ａには、円形の第１孔部３３が設けられている。第２側部３１ｂには、円形の第２孔部３４が設けられている。第１孔部３３の中心軸と第２孔部３４の中心軸とは一致している。第１孔部３３の直径と第２孔部３４の直径とは同じである。なお、第１孔部３４の中心軸と第２孔部３４の中心軸とが一致していること、および第１孔部３３の直径と第２孔部３４の直径とが同じであることは必須ではない。第１側部３１ａにおいて第１孔部３３の周縁には図示しないゴムリングが設けられている。第２側部３１ｂにおいて第２孔部３４の周縁にはゴムリングＧＲが設けられている。同様に、第３側部３１ｃにもゴムリングＧＲが設けられ、第４側部３１ｄにも図示しないゴムリングが設けられている。第１側部３１ａに設けられた前記ゴムリングは、流路切替部材３が上述の挿入孔３０に挿入された際に、第１孔部３３の周壁と第１管状部５ａの内周壁との隙間を埋めるものである。また、第２側部３１ｂに設けられたゴムリングＧＲは、流路切替部材３が挿入孔３０に挿入された際に、第２孔部３４の周壁と第２管状部６ａの内周壁との隙間を埋めるものである。
【００４３】
図５に示すように、第２筒状部材３２の第５側部３２ａ（図７参照）には、円形の第３孔部３５が設けられている。第７側部３２ｃには、円形の第４孔部３６が設けられている。第３孔部３５の中心軸と第４孔部３６の中心軸とは側面視で一直線状に重なる。第３孔部３５の中心軸と第４孔部３６の中心軸とは平面視で直交している。第３孔部３５の直径と第４孔部３６の直径とは同じである。なお、第３孔部３５の中心軸と第４孔部３６の中心軸とが側面視で一直線状に重なっていることや平面視で直交していること、および第３孔部３５の直径と第４孔部３６の直径とが同じであることは必須ではない。第５側部３２ａにおいて第３孔部３５の周縁には図示しないゴムリングが設けられている。第７側部３２ｃにおいて第４孔部３６の周縁にはゴムリングＧＲが設けられている。同様に、第６側部３２ｂにもゴムリングＧＲが設けられ、第８側部３２ｄ（図８参照）にも図示しないゴムリングが設けられている。第５側部３２ａに設けられた前記ゴムリングは、流路切替部材３が上述の挿入孔３０に挿入されて且つ後述の位置保持部材４（図１０（ｂ）参照）によって流路切替部材３の位置が第２切替位置Ｐ２（図１０（ｂ）および図１１参照）となった際に、第３孔部３５の周壁と第１管状部５ａの内周壁との隙間を埋めるものである。また、第７側部３２ｃに設けられたゴムリングＧＲは、流路切替部材３が挿入孔３０に挿入されて且つ後述の位置保持部材４によって流路切替部材３の位置が第２切替位置Ｐ２となった際に、第４孔部３６の周壁と第３管状部７ａの内周壁との隙間を埋めるものである。第１筒状部材３１の上端部には、取っ手４０が設けられている。この取っ手４０は、第３側部３１ｃの上端部と第４側部３１ｄの上端部とを架け渡すように棒状に形成されている。なお、取っ手４０の形状は特に限定されるものではない。
【００４４】
図８に示すように、第１筒状部材３１には、第１切替位置Ｐ１（図１０（ａ）参照）において流入口２２（図２参照）の少なくとも一部と第１流出口２３（図２参照）の少なくとも一部とを繋ぐ第１インバート体３７が設けられている。第１インバート体３７は、第１筒状部材３１の底部を形成している。第１インバート体３７は、第１孔部３３から第２孔部３４（図７参照）に向かって形成されている。第１インバート体３７は、半円筒状かつ平面視で直線状に形成されている。流入口２２からの排水は、第１インバート体３７上を流れ、第１流出口２３から流出される。一方、第２筒状部材３２には、第２切替位置Ｐ２（図１０（ｂ）および図１１参照）において流入口２２（図２参照）の少なくとも一部と第２流出口２４（図２参照）の少なくとも一部とを繋ぐ第２インバート体３８が設けられている。第２インバート体３８は、第２筒状部材３２の底部を形成している。第２インバート体３８は、第３孔部３５から第４孔部３６に向かって形成されている。第２インバート体３８は、平面視で円弧状に形成されている。流入口２２からの排水は、第２インバート体３８上を流れ、第２流出口２４から流出される。
【００４５】
次に、ます本体２に第１〜第３継手部材９〜１１が接続される。詳細には、図６に示すように、第１継手部材９は、第１管部９ａと、板状に形成された第１湾曲部９ｂとを備えている。第１管部９ａは円筒状に形成されている。第１管部９ａは、第１管状部５ａの外径よりも大きい内径を有している。第１湾曲部９ｂは、第１管部９ａの外周面上に設けられている。第１湾曲部９ｂは、平面視で円弧状に湾曲して形成されている。第１継手部材９がます本体２に接続される際には、第１管部９ａ内に第１管状部５ａが挿入される。第１湾曲部９ｂはます本体２の外周面に接合される。第１継手部材９がます本体２に接続された状態において、第１管部９ａの中心軸と第１管状部５ａの中心軸とは重なる。第１管部９ａには、外部に設けられた流入管路１０１（図１３参照）が接続される。これにより、流入管路１０１は間接的に流入口２２（図２参照）に接続される。第２継手部材１０は、第２管部１０ａと、第２湾曲部１０ｂとを備えている。第３継手部材１１は、第３管部１１ａと、第３湾曲部１１ｂとを備えている。第２管部１０ａおよび第３管部１１ａの構成および機能は第１管部９ａと同じであり、第２湾曲部１０ｂおよび第３湾曲部１１ｂの構成および機能は第１湾曲部９ｂと同じであるため、説明を省略する。第２管部１０ａには、外部に設けられた第１流出管路１０２（図１３参照）が接続される。これにより、第１流出管路１０２は間接的に第１流出口２３（図２参照）に接続される。第３管部１１ａには、外部に設けられた第２流出管路１０３（図１３参照）が接続される。これにより、第２流出管路１０３は間接的に第２流出口２４（図２参照）に接続される。以上のように、ます本体２に各構成要素を配置することによって、図１の排水ます１が完成する。
【００４６】
次に、位置保持部材４について説明する。図１０（ｂ）に示すように、位置保持部材４は、流路切替部材３の位置を第１切替位置Ｐ１（図１０（ａ）参照）から第２切替位置Ｐ２に変更するためのものである。なお、図１１は流路切替部材３が第２切替位置Ｐ２に配置された状態を示す斜視図である。図１０（ｂ）に戻って、位置保持部材４は流路切替部材３を下方より保持する。位置保持部材４はブロック状に形成されている。流路切替部材３の第２筒状部材３２の下端部に溝部４１を設け、当該溝部４１に嵌合する凸部４２を位置保持部材４の上端部に設けておけばよい。溝部４１に凸部４２を嵌合させることにより、第２筒状部材３２に対する位置保持部材４の位置決めを適切に行うことができる。流路切替部材３の第２筒状部材３２は、第１切替位置Ｐ１においてはます本体２（図２参照）の底部２ａの上に配置される。位置保持部材４を配置する際には、流路切替部材３をます本体２内から一旦引き出す。その後、位置保持部材４を配置し、流路切替部材３を再度配置するようにする。流路切替部材３を引き出す際には、取っ手４０（図５参照）を握って当該流路切替部材３を持ち上げればよい。なお、流路切替部材３の下に位置保持部材４を設けることで当該流路切替部材３の高さ位置が高くなった場合でも、流路切替部材３がます本体２内に収まるように当該ます本体２の高さ方向の長さが設定されている。
【００４７】
また、位置保持部材４の他の例として、次のようなスライド式のものを採用してもよい。図１２（ａ）に示すように、他の例としての位置保持部材４ａは、レール部材４３と、ガイド部材４４と、支持台４５とを備えている。レール部材４３は、上下方向に延びて管状に形成され、ガイド部材４４に対して上下方向にスライド自在に構成されている。レール部材４３の上端は流路切替部材３の第２筒状部材３２の下端部に接続されている。レール部材４３には、レール孔部４３ａが設けられている。ガイド部材４４は上下方向に延びている。ガイド部材４４の一部はレール部材４３内に挿入されている。ガイド部材４４には、水平方向に突出する突起部４４ａが設けられている。ガイド部材４４の下端は支持台４５に支持されている。支持台４５は、ます本体２（図２参照）の底部２ａに配置されている。ガイド部材４４に対するレール部材４３の位置が初期位置（図１２（ａ）の位置）であるとき、流路切替部材３の位置は第１切替位置Ｐ１となっている。この状態から、取っ手４０（図５参照）を握って流路切替部材３を引き上げる。そうすれば、図１２（ｂ）に示すように、ガイド部材４４の突起部４４ａがレール孔部４３ａに嵌合する。これにより、ガイド部材４４に対してレール部材４３の位置が固定される。これによって、流路切替部材３の位置が第２切替位置Ｐ２となる。ガイド部材４４の突起部４４ａは、レール部材４３内にある状態で当該レール部材４３の内周面からの力（つまり、内方に向かう力）を受けるように設計されており、レール孔部４３ａの位置において前記力が解放されることによって、レール孔部４３ａに嵌合するようになっている。なお、位置保持部材４ａを適用する場合には、前述の位置保持部材４を適用する場合よりも流路切替部材３の第１切替位置Ｐ１の高さおよび第２切替位置Ｐ２の高さが高くなるため、これに合わせて流入口２２、第１流出口２３および第２流出口２４の高さをそれぞれ設定するようにする。
【００４８】
続いて、上記の排水ます１を備えた排水システム１００について説明する。図１３に示すように、排水システム１００は、排水が流れるシステムである。本実施形態では、排水システム１００は、排水のうち排水設備１０４から流出する汚水が流れるシステムである。なお、排水システム１００は、雨水が流れるシステムであってもよい。この場合、排水設備１０４は、雨水が集約される側溝等に置換される。排水システム１００は地中に埋設されている。排水システム１００は、流入管路１０１と、第１流出管路１０２と、第２流出管路１０３と、上述の排水ます１と、貯留槽１０７とを備えている。なお、特に図示はしていないが、流入管路１０１、第１流出管路１０２および第２流出管路１０３は、下流に向かって下方に傾斜して設けられている。流入管路１０１には、排水設備１０４から排出される汚水が流入する。流入管路１０１の上流端は、排水設備１０４に接続されている。流入管路１０１の下流端は、排水ます１の第１継手部材９に接続されている。第１流出管路１０２の上流端は、排水ます１の第２継手部材１０に接続されている。第１流出管路１０２の下流端は、汚水を汚水処理場等に導く下水本管１０５に接続されている。第１流出管路１０２の途中部分には公共ます１０６が設けられている。第２流出管路１０３の上流端は、排水ます１の第３継手部材１１に接続されている。第２流出管路１０３の下流端は、汚水を貯留する貯留槽１０７に接続されている。なお、上記の各管路は、一本の配管によって構成されていてもよいし、複数本の配管とそれら配管を接続する継手とによって構成されていてもよい。貯留槽１０７には、当該貯留槽１０７の内部を保守および点検するための円筒１０７ａが鉛直方向に突設されている。この円筒１０７ａの上端部は蓋１０７ｂによって閉じられている。
【００４９】
排水システム１００においては、通常時には流路切替部材３の位置が第１切替位置Ｐ１（図１０（ａ）参照）になっているため、排水設備１０４から流出する汚水は、流入管路１０１、排水ます１および第１流出管路１０２を介して下水本管１０５に排出される。これに対して、地震または津波等の災害が発生し、それにより下水本管１０５が破損したときには、流路切替部材３の位置が第２切替位置Ｐ２（図１０（ｂ）および図１１参照）に変更される。これにより、排水設備１０４から流出する汚水は、流入管路１０１、排水ます１および第２流出管路１０３を介して貯留槽１０７に排出される。なお、排水システム１００の下流にある下水本管１０５や貯留槽１０７は例であって、これに限定されず、他の部材を設けるようにしてもよい。
【００５０】
以上のように、本実施形態の排水ます１によれば、流路切替部材３を第１切替位置Ｐ１に配置した場合、流入口２２からます本体２内に流入する排水を第１インバート体３７により第１流出口２３に導くことができる。一方、流路切替部材３を第２切替位置Ｐ２に配置した場合には、流入口２２からます本体２内に流入する排水を第２インバート体３８により第２流出口２４に導くことができる。本実施形態の排水ます１においては、流路切替部材３を位置保持部材４により保持するだけで、当該流路切替部材３を第２切替位置Ｐ２に配置することができる。これによって、ます本体２内の構造が複雑化することなく、簡単な構造で排水流路の切り替えを行うことができる。また、従来のようにます本体２内にガイド溝や当該ガイド溝に沿ってインバート体を上下動可能に支持する保持板等の部材を設けないので、ガイド溝に異物が付着することがない。これにより、異物によって排水流路の切り替えが行えないような事態の発生を抑制することができる。したがって、排水ます１によれば、排水流路の切り替えの信頼性を長期にわたって維持することができる。
【００５１】
また、本実施形態では、流入口２２の上端２２ａと、第１流出口２３の上端２３ａと、第２流出口２４の上端２４ａとを同じ高さ位置に設定し、流入口２２の下端２２ｂと、第１流出口２３の下端２３ｂと、第２流出口２４の下端２４ｂとを同じ高さ位置に設定した。これによって、ます本体２の高さを従来よりも低くすることができる。したがって、排水ます１の埋設深度、および排水ます１に接続される貯留槽１０７や当該排水ます１と貯留槽１０７とを連結する第２流出管路１０３のそれぞれの埋設深度を浅くすることができる。これにより、埋設深度が深くなることに起因して各部材を埋設できないような事態を回避することができると共に、埋設時の掘削量を抑えてコストアップを抑制することができる。
【００５２】
また、本実施形態では、流路切替部材３の第１筒状部材３１の上方が開口されているので、ます本体２の点検口２１および第１筒状部材３１の前記開口を介して第１インバート体３７を目視にて点検することができる。また、第１切替位置Ｐ１において、流入口２２からの排水を第１筒状部材３１の第１孔部３３、第１インバート体３７および第２孔部３４を介して第１流出口２３に導くことができる。第２切替位置Ｐ２において、流入口２２からの排水を第２筒状部材３２の第３孔部３５、第２インバート体３８および第４孔部３６を介して第２流出口２４に導くことができる。
【００５３】
また、本実施形態では、第１筒状部材３１および第２筒状部材３２をそれぞれ角筒形状に形成することにより、第１孔部３３、第２孔部３４、第３孔部３５および第４孔部３６を設ける箇所をそれぞれ角筒の側部とすることができる。これにより、上記各孔部を例えば円筒形状の第１筒状部材３１に加工する場合よりも加工し易くなる。また、第１インバート体３７が半円筒状かつ直線状に形成されていることにより、流入口２２からます本体２内に流入する排水を第１流出口２３に円滑に流すことができる。さらに、第２インバート体３８が円弧状に形成されていることによって、第２流出口２４が流入口２２に対して垂直に設けられた構成においても、当該第２インバート体３８に対して流水による大きな負荷を掛けることなく排水を流すことができる。
【００５４】
また、本実施形態では、流路切替部材３において、第１筒状部材３１の第１側部３１ａと第２筒状部材３２の第５側部３２ａとが面一に設けられているので、位置保持部材４によって流路切替部材３を第２切替位置Ｐ２に配置した場合に、第５側部３２ａの第３孔部３５を流入口２２に対向する位置に配置することができる。また、第１筒状部材３１の第２側部３１ｂと第２筒状部材３２の第７側部３２ｃとが平面視で直交しているので、位置保持部材４によって流路切替部材３を第２切替位置Ｐ２に配置した場合に、第７側部３２ｃの第４孔部３６を第２流出口２４に対向する位置に配置することができる。このように第１側部３１ａと第５側部３２ａとの位置関係および第２側部３１ｂと第７側部３２ｃとの位置関係を設定することによって、第１流出口２３が流入口２２に対向して設けられ、第２流出口２４が流入口２２に垂直に設けられ、高さが従来よりも低い上述のます本体２に対応することができる。したがって、上記構成を有する流路切替部材３を用いることで、排水ます１の埋設深度を浅くすることができる。
【００５５】
また、本実施形態では、流路切替部材３の第１筒状部材３１および第２筒状部材３２をそれぞれ角筒形状に形成した場合に、円筒形状のます本体２の内周壁と上記各筒状部材との間にスペーサ５〜８を配置することによって、ます本体２に対する流路切替部材３の位置決めを適切に行うことができる。また、ます本体２の内周壁と流路切替部材３との間がスペーサ５〜８により埋められるので、隙間が生じ難い。これにより、排水の浸入を抑制または防止することができる。
【００５６】
また、本実施形態では、各スペーサ５〜８が垂直部５ｂ，６ｂ，７ｂ，８ｂの上端に傾斜部５ｄ，６ｄ，７ｄ，８ｄを備えていることにより、上方からの汚水がこれらの傾斜部５ｄ，６ｄ，７ｄ，８ｄを伝って下方に流れ易くなる。
【００５７】
また、本実施形態では、第１継手部材９によって第１管状部５ａと外部に配設された流入管路１０１とを連結することができる。また、第２継手部材１０によって第２管状部６ａと外部に配設された第１流出管路１０２とを連結することができる。さらに、第３継手部材１１によって第３管状部７ａと外部に配設された第２流出管路１０３とを連結することができる。
【００５８】
また、本実施形態では、ブロック状に形成された位置保持部材４により流路切替部材３の配置を容易に第２切替位置Ｐ２にすることができる。
【００５９】
また、本実施形態では、スライド式の流路切替部材４ａを単に引き上げるだけで、当該流路切替部材４ａの配置を容易に第２切替位置Ｐ２にすることができる。また、位置保持部材として上記ブロック状の位置保持部材４を採用する場合と異なり、ます本体２内から流路切替部材３を引き出す必要がなくなる。これにより、作業性の向上を図ることができる。
【００６０】
また、本実施形態では、流路切替部材３に取っ手４０を設けたことにより、作業者が取っ手４０を握って流路切替部材３を引き出し易くなる。
【００６１】
さらに、本実施形態に係る排水システム１００によれば、上述の排水ます１を備えているので、排水流路の切り替えの信頼性を長期にわたって維持することができ、簡単な構造で排水流路の切り替えを行うことができる。
【００６２】
以上、本実施形態の排水ます１について説明したが、さらに次のような変形例を適用してもよい。
【００６３】
上記実施形態では、第１流出口２３の管軸が流入口２２の管軸と一致し、第２流出口２４の管軸の高さ位置が流入口２２の管軸の高さ位置と同じとなるようにしたが、これに限定されるものではない。第１流出口２３の管軸が流入口２２の管軸と一致してなくてもよいし、第２流出口２３の管軸が流入口２２の管軸と同じ高さの位置になくてもよい。
【００６４】
また、上記実施形態では、第２流出口２４の上端２４ａが第１流出口２３の上端２３ａと同じ高さの位置にあり、第２流出口２４の下端２４ｂが第１流出口２３の下端２３ｂと同じ高さの位置にあるようにしたが、これに限定されるものではない。第２流出口２４の上端２４ａが第１流出口２３の上端２３ａの高さ以下の位置に配置され、第２流出口２４の下端２４ｂが第１流出口２３の下端２３ｂの高さ以上の位置に配置されるように設定してもよい。或いは、第１流出口２３の上端２３ａが第２流出口２４の上端２４ａの高さ未満の位置に配置され、第１流出口２３の下端２３ｂが第２流出口２４の下端２４ｂの高さよりも上方の位置に配置されるように設定してもよい。
【００６５】
また、上記実施形態では、角筒形状の第１筒状部材３１および第２筒状部材３２により流路切替部材３を構成するようにしたが、これに限定されるものではない。例えば円筒形状等の他の形状の筒状部材によって流路切替部材を構成するようにしてもよい。図１４に示すように、流路切替部材３ａは有底円筒状に形成されている。流路切替部材３ａの上端部には取っ手４０が設けられている。流路切替部材３ａには、円形の第５孔部３３ａおよび円形の第６孔部３４ａが設けられている。第５孔部３３ａの中心軸と第６孔部３４ａの中心軸とは一致している。第５孔部３３ａの直径と第６孔部３４ａの直径とは同じである。また、流路切替部材３ａには、第５孔部３３ａや第６孔部３４ａよりも下方に円形の第７孔部３５ａおよび円形の第８孔部３６ａが設けられている。第７孔部３５ａの中心軸と第８孔部３６ａの中心軸とは側面視で一直線状に重なる。第７孔部３５ａの直径と第８孔部３６ａの直径とは同じである。第７孔部３５ａと第８孔部３６ａとは、互いに交わらないように形成されている。これによって、ます本体２（図１参照）内に排水が漏れることを防ぐことができる。第５孔部３３ａの直径、第６孔部３４ａの直径、第７孔部３５ａの直径、および第８孔部３６ａの直径は、流路切替部材３ａの内径よりも小さい。なお、第５孔部３３ａの周縁、第６孔部３４ａの周縁、第７孔部３５ａの周縁、および第８孔部３６ａの周縁にそれぞれゴムリング（図示せず）を設けてもよい。
【００６６】
図１４に示すように、流路切替部材３ａには、第１切替位置Ｐ１（図１０（ａ）参照）において流入口２２（図２参照）の少なくとも一部と第１流出口２３（図２参照）の少なくとも一部とを繋ぐ第１インバート体３７ａが設けられている。第１インバート体３７ａは、第５孔部３３ａから第６孔部３４ａに向かって形成されている。第１インバート体３７ａは、半円筒状かつ平面視で直線状に形成されている。流入口２２からの排水は、第１インバート体３７ａ上を流れ、第１流出口２３から流出される。一方、流路切替部材３ａには、第２切替位置Ｐ２（図１０（ｂ）参照）において流入口２２の少なくとも一部と第２流出口２４（図２参照）の少なくとも一部とを繋ぐ第２インバート体３８ａが設けられている。第２インバート体３８ａは、第７孔部３５ａから第８孔部３６ａに向かって形成されている。第２インバート体３８ａは、平面視で円弧状に形成されている。流入口２２からの排水は、第２インバート体３８ａ上を流れ、第２流出口２４から流出される。以上のように、流路切替部材３ａを円筒状に形成することにより、ます本体２内に配置する際に万一流路切替部材３ａの外周壁が周辺部材に接触した場合に、角筒形状の流路切替部材３よりも損傷を受け難い。また、第１インバート体３７ａが半円筒状かつ直線状に形成されていることにより、流入口２２からます本体２内に流入する排水を第１流出口２３に円滑に流すことができる。さらに、第２インバート体３８ａが円弧状に形成されていることによって、第２インバート体３８ａに対して流水による大きな負荷を掛けることなく排水を流すことができる。
【００６７】
上述のような円筒状の流路切替部材３ａを採用する場合、図１５および図１６に示すような第５〜第８スペーサ５０，６０，７０，８０を用いればよい。図１５に示すように、第５スペーサ５０は、流入口２２（図２参照）に挿通されます本体２の内方に通ずる第５管状部５１と、流路切替部材３ａ（図１４参照）の外周壁に沿うように接触する第５円弧部５２とを有している。第５スペーサ５０において第５管状部５１の内側端は第５円弧部５２の内周壁に沿うように形成されている。以下同様に、図１６に示すように、第６スペーサ６０は、第１流出口２３（図２参照）に挿通されます本体２の内方に通ずる第６管状部６１と、流路切替部材３ａの外周壁に沿うように接触する第６円弧部６２とを有している。第６スペーサ６０において第６管状部６１の内側端は第６円弧部６２の内周壁に沿うように形成されている。第７スペーサ７０は、第２流出口２４（図２参照）に挿通されます本体２の内方に通ずる第７管状部７１と、流路切替部材３ａの外周壁に沿うように接触する第７円弧部７２とを有している。第７スペーサ７０において第７管状部７１の内側端は第７円弧部７２の内周壁に沿うように形成されている。なお、第５スペーサ５０の機能、第６スペーサ６０の機能および第７スペーサ７０の機能は、それぞれ上述の第１スペーサ５の機能、第２スペーサ６の機能および第３スペーサ７の機能と同じであるため説明を省略する。第８スペーサ８０は、流路切替部材３ａの外周壁に沿うように接触するよう円弧状に形成されている。図１６に示すように、第５〜第８スペーサ５０，６０，７０，８０は、平面視で円を描くように配置される。ます本体２の内周壁と流路切替部材３ａとの間に第５〜第８スペーサ５０，６０，７０，８０を配置することによって、ます本体２に対する流路切替部材３ａの位置決めを適切に行うことができる。また、ます本体２の内周壁と流路切替部材３ａとの間が上記スペーサにより埋められるので、隙間が生じ難い。これにより、排水の浸入を抑制または防止することができる。
【００６８】
また、上記実施形態では、ます本体２の流入口２２と第１流出口２３とを平面視で直線状に配置し、第２流出口２４を流入口２２に対して平面視で垂直に配置するようにしたが、これらの配置は特に限定されるものではない。
【００６９】
また、上記実施形態では、第１インバート体３７を平面視で直線状に形成し、第２インバート体３８を平面視で円弧状に形成するようにしたが、これに限定されるものではない。第１インバート体３７および第２インバート体３８の形状は、それぞれ種々設定可能である。
【００７０】
また、上記実施形態では、別部材である第１筒状部材３１と第２筒状部材３２とを接合することにより流路切替部材３を形成するようにしたが、これに限定されるものではない。一体的に形成された流路切替部材３を用いてもよい。
【００７１】
さらに、上記実施形態では、ブロック状に形成された位置保持部材４やスライド式の位置保持部材４ａを例に挙げて説明したが、位置保持部材の構成については、流路切替部材３の位置を上下方向に変更し得るものであれば、特に限定されるものではない。
【符号の説明】
【００７２】
１    排水ます
２    ます本体
３，３ａ  流路切替部材
４，４ａ  位置保持部材
５    第１スペーサ
６    第２スペーサ
７    第３スペーサ
８    第４スペーサ
９    第１継手部材
１０  第２継手部材
１１  第３継手部材
２１  点検口
２２  流入口
２３  第１流出口
２３ａ  第１流出口の上端
２３ｂ  第１流出口の下端
２４  第２流出口
２４ａ  第２流出口の上端
２４ｂ  第２流出口の下端
３１  第１筒状部材
３１ａ  第１側部
３１ｂ  第２側部
３１ｃ  第３側部
３１ｄ  第４側部
３２  第２筒状部材
３２ａ  第５側部
３２ｂ  第６側部
３２ｃ  第７側部
３２ｄ  第８側部
３３  第１孔部
３３ａ  第５孔部
３４  第２孔部
３４ａ  第６孔部
３５  第３孔部
３５ａ  第７孔部
３６  第４孔部
３６ａ  第８孔部
３７，３７ａ  第１インバート体
３８，３８ａ  第２インバート体
４０  取っ手
４３  レール部材
４３ａ  レール孔部
４４  ガイド部材
４４ａ  突起部
４５  支持台
１００  排水システム
１０１  流入管路
１０２  第１流出管路
１０３  第２流出管路
１０４  排水設備
１０７  貯留槽
Ｐ１  第１切替位置
Ｐ２  第２切替位置
【図１】
0006533453.tif 000002
【図２】
0006533453.tif 000003
【図３】
0006533453.tif 000004
【図４】
0006533453.tif 000005
【図５】
0006533453.tif 000006
【図６】
0006533453.tif 000007
【図７】
0006533453.tif 000008
【図８】
0006533453.tif 000009
【図９】
0006533453.tif 000010
【図１０】
0006533453.tif 000011
【図１１】
0006533453.tif 000012
【図１２】
0006533453.tif 000013
【図１３】
0006533453.tif 000014
【図１４】
0006533453.tif 000015
【図１５】
0006533453.tif 000016
【図１６】
0006533453.tif 000017